(57)【特許請求の範囲】
【請求項１】
コンピュータの画面に設定したキャンパスの領域に印刷可能なグラデーションパターンを作成するためのグラデーションパターン作成プログラムであって、
コンピュータを、
グラデーションパターンを作成する領域を規定するキャンパス設定手段、
キャンパス面に縦横の印刷濃度制御線を網目状に表示する縦横印刷濃度制御線生成手段、
選択した縦の印刷濃度制御線の断面イメージを縦断面線として縦断面線表示画面に表示する縦断面線生成手段、
選択した横の印刷濃度制御線の断面イメージを横断面線として横断面線表示画面に表示する横断面線生成手段、
縦横の各断面線を編集するための印刷濃度制御点を縦横各断面線上に表示する印刷濃度制御点生成手段、
印刷濃度制御点の移動に伴って縦横の各断面線の基準ラインに対する高さを変化させる印刷濃度制御点移動手段
として機能させたことを特徴とするグラデーションパターン作成プログラム。
【請求項２】
前記縦横の各断面線の基準ラインに対する高さが対応する縦横印刷濃度制御線に沿ったグラデーションパターンの色の濃淡を規定するようにしたことを特徴とする請求項１に記載のグラデーションパターン作成プログラム。
【請求項３】
前記印刷濃度制御点は、前記縦横の各断面線上に色の濃淡を指定できる基準点として機能するとともに基準ラインに対して上下方向に移動可能なハンドルを備えていることを特徴とする請求項１に記載のグラデーションパターン作成プログラム。
【発明の詳細な説明】
【技術分野】
【０００１】
本発明は、印刷可能なグラデーションパターンを作成するためのコンピュータ用プログラムに関する。
【背景技術】
【０００２】
液晶TV（テレビジョン）などに使用される導光板をインクジェットプリンタにより印刷して作成することが従来知られている。
導光板は透明なアクリル板からなり、このアクリル板に光反射、乱反射用のカラー（白色）のグラデーションパターンを印刷して導光板を作成する。導光板の印刷面に印刷されるグラデーションパターンは、導光板に要求される輝度分布を参照して市販の作図ソフトを使用して作成される。
【発明の概要】
【０００３】
望ましい輝度分布が得られるように導光板を作成するには、印刷のためのグラデーションパターンに複雑な色の濃度変化が要求される。そのため市販のソフトウエアを用いて、複雑なグラデーションパターンを作成するのは容易でなかった。
本発明は、複雑なグラデーションパターンを容易に作成できるようにしたグラデーションパターン作成プログラムを提供することを目的とするものである。
【課題を解決するための手段】
【０００４】
上記目的を達成するため、本発明は、コンピュータの画面に設定したキャンパスの領域に印刷可能なグラデーションパターンを作成するためのグラデーションパターン作成プログラムであって、
コンピュータを、
グラデーションパターンを作成する領域を規定するキャンパス設定手段、
キャンパス面に縦横の印刷濃度制御線を網目状に表示する縦横印刷濃度制御線生成手段、
選択した縦の印刷濃度制御線の断面イメージを縦断面線として縦断面線表示画面に表示する縦断面線生成手段、
選択した横の印刷濃度制御線の断面イメージを横断面線として横断面線表示画面に表示する横断面線生成手段、
縦横の各断面線を編集するための印刷濃度制御点を縦横各断面線上に表示する印刷濃度制御点生成手段、
印刷濃度制御点の移動に伴って縦横の各断面線の基準ラインに対応する高さを変化させる印刷濃度制御点移動手段
として機能させたことを特徴とする。
また本発明は、前記縦横の各断面線の基準ラインに対する高さが対応する縦横印刷濃度制御線に沿ったグラデーションパターンの色の濃淡を規定するようにしたことを特徴とする。
また本発明は、前記印刷濃度制御点は、前記縦横の各断面線上に色の濃淡を指定できる基準点として機能するとともに基準ラインに対して上下方向に移動可能なハンドルを備えていることを特徴とする。
【発明の効果】
【０００５】
本発明は、キャンパスに表示した縦横の各印刷濃度制御線に対応する縦断面線と横断面線をハンドル操作により任意の曲線とすることで簡単に所望の色の濃淡からなるグラデーションパターンを作成することができる。また細かい調整などの作業も容易に行う事ができる。
【図面の簡単な説明】
【０００６】
【図１】本発明の動作を示すフローチャートである。
【図２】本発明のブロック説明図である。
【図３】本発明の説明図である。
【図４】本発明の説明図である。
【図５】本発明の説明図である。
【図６】本発明の説明図である。
【図７】本発明の説明図である。
【図８】本発明の説明図である。
【図９】本発明の説明図である。
【図１０】本発明の説明図である。
【図１１】本発明の説明図である。
【図１２】本発明の説明図である。
【図１３】本発明の説明図である。
【発明を実施するための形態】
【０００７】
以下に本発明の構成を添付した図面を参照して詳細に説明する。
本発明にかかるプログラムは、グラデーションパターンを作成する領域を指定するキャンパス生成手段２と、印刷濃度制御点色設定ダイアログ４で選択した印刷濃度制御点の濃淡色を表示する印刷濃度制御点色設定手段６と、キャンパス８に縦の印刷濃度制御線１０を表示する縦印刷濃度制御線生成手段１２と、キャンパス８に横の印刷濃度制御線１４を表示する横印刷濃度制御線生成手段１６と、縦印刷濃度制御線１０の断面線１８を表示する縦印刷濃度制御線の断面線生成手段２０と、横印刷濃度制御線１４の断面線２２を表示する横印刷濃度制御線の断面線生成手段２４と、キャンパス画面８ａ及び断面線表示画面３４，３６で縦横の印刷濃度制御線１０，１４及び各断面線１８，２２を編集するための印刷濃度制御点２６，５０，５２を表示する印刷濃度制御点生成手段２８と、印刷濃度制御点の移動に伴って縦横の各断面線の基準ラインに対する高さを変化させる印刷濃度制御点移動手段４２と、画像補間法に基づき計算するピクセルを限定する画像補間手段３０と、データを画像出力可能なデータフォーマットに変換する画像出力対応フォーマット生成手段３２と、キャンパス画面８ａ、断面線表示画面３４，３６にグリッド３８を表示することができるようにしたグリッド表示手段４０と、入出力インターフェイス部４４と、キャンパス領域をプリンタ印刷する画像印刷手段４６と、これらを制御する制御部４８とから構成されている。
【０００８】
本プログラムは、コンピュータにインストールされて使用される。
次に、コンピュータにインストールされた本プログラムの動作を図１に示すフローチャートを参照して詳細に説明する。  
本プログラムは、色の濃淡からなるグラデーションパターンを作成し画像出力・印刷するツールであり、グラデーションの濃淡の付け方を自在に編集することができるようにしたものである。ここでグラデーションとは、色の濃淡が少しづつ変わっていく様のことであり、グラデーションパターンとは色の濃淡からなる画像印字データのことである。グラデーションパターンにおいて、色の濃度はドットあるいはピクセルの印字密度に対応し、色の濃度は、０％から１００％の間で変化させることができる。実際の印字ではプリンタの解像度により印字される場所に関しての指定がされ、その範囲内で０〜１００％などの任意の範囲での印字が可能である。図３に示すコンピュータの画面に表示された画像においてキャンパス８は、グラデーションパターンを作成する領域を示している。なお通常は０％〜１００％の範囲内での指定であるが、同じ場所に２度印字を行うなどの場合には１００％以上の設定でも可能になるため、上限の範囲は指定できるようにしてもよい。
【０００９】
印刷濃度制御点２６は、濃淡色を指定できる基準点のことであり、移動可能なハンドルを備えている。印刷濃度制御線１０，１４は、メッシュ画面の縦横印刷濃度制御線を示している。印刷濃度制御点色設定ダイアログ４は、選択している印刷濃度制御点２６の色設定（ＣＭＹＫ何れか１つ指定）を行うものである。印刷濃度制御線１０，１４の断面線１８，２２は、選択している縦方向、横方向印刷濃度制御線１０，１４の断面イメージを示している。図４に示すように、断面線２２の基準ライン２３に対する高さは、ピクセルの高さを示し、このピクセルの高さは、濃淡色を決定する。
【００１０】
本実施形態では、ＣＭＹＫのＫ（ブラック）が用いられ、ブラックの濃淡即ち濃度が、０％〜１００％の間で、断面線の高さにより表示される。基準ライン２３の左端は印字開始位置を示し、右端は印字終了位置を示している。断面線１８も同様である。縦方向印刷濃度制御線１０の断面線１８は、キャンパス８の平面に対して垂直で、且つ印刷濃度制御線１０に平行な面に対する印刷濃度制御線１０の投影図であり、横方向印刷濃度制御線１４の断面線２２はキャンパス８の平面に対して垂直で、且つ印刷濃度制御線１４に平行な面に対する印刷濃度制御線１４の投影図である。断面線１８，２２の高さを変更することによりグラデーションが変化するように設定されている。
【００１１】
本プログラムにおいて、グラデーションの色作成は、図５に示すようにキャンパス８上にある面上のピクセルの高さＨにより濃淡色を決定するように構成されている。グラデーション作成プロセスがスタートすると、まず、ステップＳ１で、キャンパス生成手段２は、操作者の指示に基づきキャンパス８のサイズを設定し、キャンパス８の領域を表示する （ステップ２）。このとき図９に示すようにキャンパス８に縦横各１本の印刷濃度制御線１０，１４が表示される（ステップ３）。
【００１２】
また、縦断面線表示画面３４には、縦印刷濃度制御線１０の断面線１８、横断面線表示画面３６には、横印刷濃度制御線１４の断面線２２が表示される（ステップＳ５）。各断面線１８，２２は初期時には、図９に示すように０％位置に表示される。次に、操作者の指示により、図１０に示すように、印刷濃度制御点色設定手段６によって印刷濃度制御点２６を選択し印刷濃度制御点色設定ダイアログ４で色を設定する。これにより印刷濃度制御点色設定ダイアログ４で設定した印刷濃度制御点２６の濃淡色が表示される。
【００１３】
更に、キャンパス画面８ａにグラデーション画像（図示省略）が表示され（ステップＳ７）、縦印刷濃度制御線１０の断面線１８、横印刷濃度制御線１４の断面線２２が更新される（ステップＳ８，Ｓ９）。次に、図１１に示すように操作者の指示よりキャンパス８の任意の指定位置に印刷濃度制御線１０，１４が表示される（ステップＳ１０）。次に、操作者の操作に基づき、縦印刷濃度制御線１０の断面線１８、横印刷濃度制御線１４の断面線２２の編集が行われる。図１２に示すようにキャンパス８の印刷濃度制御線１０，１４が選択されると、選択された印刷濃度制御線１０，１４の断面線１８，２２が表示され、断面線１８，２２には、印刷濃度制御点５０，５２が表示される。
【００１４】
所望の印刷濃度制御点５０，５２のハンドルをドラッグして上下に移動すると、図７（Ａ）に示すように断面線１８，２２の高さが変更し、キャンパス８のグラデーションパターンが更新される（ステップ１１，１２）。また、図７（Ｂ）に示すように、印刷濃度制御点５２を追加/削除することができる。印刷濃度制御点５０，２６も同様である。
【００１５】
次に図１３に示すように、キャンパス画面８ａの中央、または各コーナーの印刷濃度制御点２６をドラッグ移動して、印刷濃度制御線１０，１４を編集する。これによって印刷濃度制御線１０，１４とグラデーションパターンが更新される（ステップＳ１３）。図８に示すように、キャンパス画面８ａ、断面線表示画面３４，３６には、グリッド３８を表示することができる。グリッド表示していると、各編集操作ではグリッド点にスナップする。
【００１６】
ピクセル処理において、全ピクセルを計算するとレスポンスが遅くなる恐れがある。そこで、本プログラムでは、画像補間法を導入して、計算するピクセルを限定している。作成された画像データは、画像出力対応フォーマット生成手段３２により、画像出力可能なデータフォーマットに変換される。作成された画像データは画像印刷手段４６により印刷される（ステップＳ１４）。
【００１７】
上記の説明から明らかなように、縦横印刷濃度制御線生成手段１２，１６、縦横印刷濃度制御線の断面線生成手段２０，２４、印刷濃度制御点生成手段２８、印刷濃度制御点移動手段４２は、断面線編集手段を構成し、この断面線編集手段により、操作者は、印刷濃度制御点のポイントとハンドルを調整し、断面線１８，２２を自由な曲線とすることができる。
本件の説明で記載している色の指定は表示画面上での色を指定したものであり、実際に印刷される色はプリンタにて用意されている色であることは言うまでもない。導光板の印刷に用いられるときは主に白色の印刷が使用されるが、それに限定されるものでもなく、黄色などの反射を行う色であれば良い。
【符号の説明】
【００１８】
２      キャンパス生成手段
４      印刷濃度制御点色設定ダイアログ
６      印刷濃度制御点色設定手段
８      キャンパス
８ａ    キャンパス画面
１０    縦印刷濃度制御線
１２    縦印刷濃度制御線生成手段
１４    横印刷濃度制御線
１６    横印刷濃度制御線生成手段
１８    断面線
２０    断面線生成手段
２２    断面線
２４    断面線生成手段
２６    印刷濃度制御点
２８    印刷濃度制御点生成手段
３０    画像補間手段
３２    フォーマット生成手段
３４    断面線表示画面
３６    断面線表示画面
３８    グリッド
４０    グリッド表示手段
４２    印刷濃度制御点移動手段
４４    入出力インターフェイス部
４６    画像印刷手段
４８    制御部
５０    印刷濃度制御点
５２    印刷濃度制御点
【図１】
0005757905.tif 000002
【図２】
0005757905.tif 000003
【図３】
0005757905.tif 000004
【図４】
0005757905.tif 000005
【図５】
0005757905.tif 000006
【図６】
0005757905.tif 000007
【図７】
0005757905.tif 000008
【図８】
0005757905.tif 000009
【図９】
0005757905.tif 000010
【図１０】
0005757905.tif 000011
【図１１】
0005757905.tif 000012
【図１２】
0005757905.tif 000013
【図１３】
0005757905.tif 000014